(57)【特許請求の範囲】
【請求項１】
室内空気を換気する送風部と、
換気風量を変更するための前記室内空気のＣＯ２濃度の予め定められた閾値を、検出された外気のＣＯ２濃度である外気ＣＯ２濃度検出値に基づいて補正して補正後閾値を算出する補正後閾値算出部と、
前記室内空気のＣＯ２濃度と、前記補正後閾値と、に基づいて前記送風部の風量を制御して換気風量を変更する換気風量制御部と、
を備え、
前記補正後閾値算出部は、外気のＣＯ２濃度が、予め定められた外気のＣＯ２濃度の基準値である外気ＣＯ２濃度基準値から変化した場合に、前記外気ＣＯ２濃度基準値と、前記外気ＣＯ２濃度検出値との差分を用いて前記補正後閾値を算出すること、
を特徴とする換気装置。
【請求項２】
外気を室内に給気する給気風路と、前記室内空気を外部に排出する排気風路とが内部に形成された本体をさらに備え、
前記送風部は、前記給気風路内に設けられた給気用送風機と、前記排気風路内に設けられた排気用送風機とを含むこと、
を特徴とする請求項１に記載の換気装置。
【請求項３】
前記室内空気のＣＯ２濃度および前記外気のＣＯ２濃度を検出するＣＯ２検出部をさらに備えること、
を特徴とする請求項１または２に記載の換気装置。
【請求項４】
前記ＣＯ２検出部は、前記室内空気のＣＯ２濃度を検出する第１ＣＯ２センサーと、前記外気のＣＯ２濃度を検出する第２ＣＯ２センサーと、を含むこと、
を特徴とする請求項３に記載の換気装置。
【請求項５】
前記ＣＯ２検出部は、１つのＣＯ２センサーにより、前記室内空気のＣＯ２濃度および前記外気のＣＯ２濃度を検出すること、
を特徴とする請求項３に記載の換気装置。
【請求項６】
前記補正後閾値算出部は、前記外気ＣＯ２濃度基準値と、前記外気ＣＯ２濃度検出値との差分を算出し、前記予め定められた閾値に前記差分を加算して前記補正後閾値を算出する、または、
前記補正後閾値算出部は、前記予め定められた閾値に、前記差分による前記予め定められた閾値の補正度合いを調整するための係数と前記差分との積を加算して前記補正後閾値を算出すること、
を特徴とする請求項１から５のいずれか１つに記載の換気装置。
【請求項７】
前記換気風量は、異なる複数の前記予め定められた閾値を用いて少なくとも３段階に段階的に変更可能であり、
前記補正後閾値算出部は、前記異なる複数の予め定められた閾値のうち一部の前記予め定められた閾値については前記差分を加算して前記補正後閾値を算出し、前記異なる複数の予め定められた閾値のうち他の一部の前記予め定められた閾値については前記係数と前記差分との積を加算して前記補正後閾値を算出すること、
を特徴とする請求項６に記載の換気装置。
【請求項８】
前記係数は変更可能であること、
を特徴とする請求項６または７に記載の換気装置。
【請求項９】
前記換気風量は、異なる複数の前記予め定められた閾値を用いて少なくとも３段階に段階的に切り換え可能であり、
前記補正後閾値算出部は、前記異なる複数の予め定められた閾値のうち一部の前記予め定められた閾値については前記差分を加算して前記補正後閾値を算出し、前記異なる複数の予め定められた閾値のうち他の一部の前記予め定められた閾値については補正しないこと、
を特徴とする請求項６に記載の換気装置。
【請求項１０】
前記外気ＣＯ２濃度基準値は変更可能であること、
を特徴とする請求項１から９のいずれか１つに記載の換気装置。
【請求項１１】
前記予め定められた閾値は変更可能であること、
を特徴とする請求項１から１０のいずれか１つに記載の換気装置。
【請求項１２】
前記換気風量は、異なる複数の前記予め定められた閾値を用いて少なくとも３段階に段階的に切り換え可能であり、
前記異なる複数の予め定められた閾値のうち少なくとも一部が変更可能であること、
を特徴とする請求項１１に記載の換気装置。
【請求項１３】
前記補正後閾値算出部は、前記外気ＣＯ２濃度検出値が３５００ｐｐｍ以下の場合に前記補正後閾値を算出すること、
を特徴とする請求項１から１２のいずれか１つに記載の換気装置。
【請求項１４】
室内空気を換気する送風部を備える換気装置を制御する制御装置における前記換気装置の制御方法であって、
前記制御装置が、検出された室内空気のＣＯ２濃度の情報を取得するステップと、
前記制御装置が、検出された外気のＣＯ２濃度の情報を取得するステップと、
前記制御装置が、換気風量を変更するための前記室内空気のＣＯ２濃度の予め定められた閾値を、取得した前記外気のＣＯ２濃度の情報に基づいて補正して補正後閾値を算出するステップと、
前記制御装置が、前記室内空気のＣＯ２濃度と、前記補正後閾値と、に基づいて換気風量を制御するステップと、
を含み、
前記補正後閾値を算出するステップでは、外気のＣＯ２濃度が、予め定められた外気のＣＯ２濃度の基準値である外気ＣＯ２濃度基準値から変化した場合に、前記外気ＣＯ２濃度基準値と、前記検出された外気のＣＯ２濃度との差分を用いて前記補正後閾値を算出すること、
を特徴とする換気制御方法。
【発明の詳細な説明】
【技術分野】
【０００１】
本発明は、室内空気の二酸化炭素濃度に基づいて換気を行う換気装置および換気制御方法に関する。
【背景技術】
【０００２】
従来、空気調和機で使用されるエネルギーを低減するとともに快適な空気調和を行うために、給気用送風機によって室外から室内へ導入される給気と、排気用送風機によって室内から室外へ排出される排気との間で熱交換を行わせ、排気との温度差を低減した給気を室内へ導く熱交換型換気装置が用いられている。【０００３】
事務所ビルなどでは、室内にいる人数の増減に対応して、室内の空気の汚れの度合いは大きく異なる。一般に、室内の空気の汚れは、二酸化炭素（ＣＯ２）濃度により表される。通常、事務所ビルなどの換気設計は、室内の在室率が１００％である状態で室内のＣＯ２濃度が一定値以下となるように設計されている。しかしながら、実際の室内の在室率は、文献などの調査によると６０％から７０％であることがほとんどである。【０００４】
また、熱交換型換気装置は、例えば壁面に設置されたリモートコントローラーによって換気風量がある風量に固定された状態で使用されていることが多い。このため、多人数が室内にいる場合には、室内の空気が汚れるという問題がある。また、早朝および夜間の時間帯に少人数しか室内に居ない場合または人が居ない場合において過剰換気を行うことは、空気調和負荷の増大となり、省エネルギーの観点において好ましくない。【０００５】
そこで、特許文献１には、室内のＣＯ２ガスを検出するＣＯ２センサーを備え、室内のＣＯ２濃度に基づいて熱交換型換気装置の風量を制御する空調用換気装置が開示されている。【０００６】
室内のＣＯ２濃度に基づいて換気を行う理由は下記の２つである。第１の理由は、高濃度のＣＯ２は人体に有害であるため、室内のＣＯ２濃度を人体に有害とならない濃度に管理することである。第２の理由は、人の活動量に比例して発生する有害物質はＣＯ２以外にもあるが、他の有害物質の検出は容易ではないため、検出が簡単なＣＯ２濃度で人の活動量に比例して発生する有害物質を代表して検出することである。従来は、上記２点を考慮して室内のＣＯ２濃度に基づいた換気が行われていた。
【先行技術文献】
【特許文献】
【０００７】
【特許文献１】特開平９−１５９２０８号公報
【発明の概要】
【発明が解決しようとする課題】
【０００８】
室内のＣＯ２濃度は、人が居ない場合には外気のＣＯ２濃度と同じ程度で安定する。このため、外気のＣＯ２濃度が変化した場合は、人が居ない室内のＣＯ２濃度も同じように変化する。【０００９】
特許文献１に記載の空調用換気装置では、室内のＣＯ２濃度のみに対応して換気風量を制御している。このため、外気のＣＯ２濃度が変化した場合でも、固定された特定のＣＯ２濃度に室内ＣＯ２濃度が到達した時点で換気風量を切り換える。したがって、外気のＣＯ２濃度が高い場合には、外気のＣＯ２濃度が低い場合に比べて、少量の人の活動量で換気風量が切り換わることになる。このように、特許文献１に記載の空調用換気装置は、外気のＣＯ２濃度が変化すると、人の活動量に対応した適切な換気風量を得ることができないという問題があった。【００１０】
本発明は、上記に鑑みてなされたものであって、外気のＣＯ２濃度が変化した場合でも人の活動量に対応した適切な換気風量を維持できる換気装置を得ることを目的とする。
【課題を解決するための手段】
【００１１】
上述した課題を解決し、目的を達成するために、本発明にかかる換気装置は、室内空気を換気する送風部と、換気風量を変更するための室内空気のＣＯ２濃度の予め定められた閾値を、検出された外気のＣＯ２濃度である外気ＣＯ２濃度検出値に基づいて補正して補正後閾値を算出する補正後閾値算出部と、室内空気のＣＯ２濃度と、補正後閾値と、に基づいて送風部の風量を制御して換気風量を変更する換気風量制御部と、を備える。補正後閾値算出部は、外気のＣＯ２濃度が、予め定められた外気のＣＯ２濃度の基準値である外気ＣＯ２濃度基準値から変化した場合に、外気ＣＯ２濃度基準値と、外気ＣＯ２濃度検出値との差分を用いて補正後閾値を算出する。
【発明の効果】
【００１２】
本発明にかかる換気装置は、外気のＣＯ２濃度が変化した場合でも人の活動量に対応した適切な換気風量を維持できる、という効果を奏する。
【図面の簡単な説明】
【００１３】
【図１】本発明の実施の形態１にかかる換気装置の構成を簡略化して示す模式図
【図２】本発明の実施の形態１にかかる換気装置の運転に関わる機能構成を示す図
【図３】本発明の実施の形態１における処理回路のハードウェア構成の一例を示す図
【図４】本発明の実施の形態１にかかる換気装置における、風量自動制御モードを実施する前の室内空気のＣＯ２濃度の閾値と換気風量との関係を示す図
【図５】本発明の実施の形態１にかかる換気装置における第１の制御例での補正後閾値と換気風量との関係を示す図
【図６】本発明の実施の形態１にかかる換気装置における第１の制御例での風量自動制御の手順の一例を示すフローチャート
【図７】本発明の実施の形態１にかかる換気装置における第２の制御例での補正後閾値と換気風量との関係を示す図
【図８】本発明の実施の形態１にかかる換気装置における第２の制御例での風量自動制御の手順の一例を示すフローチャート
【図９】本発明の実施の形態１にかかる換気装置における第３の制御例での補正後閾値と換気風量との関係を示す図
【図１０】本発明の実施の形態１にかかる換気装置における第４の制御例での補正後閾値と換気風量との関係を示す図
【図１１】本発明の実施の形態１にかかる換気装置における換気風量の変更形態の他の例を示す特性図
【図１２】本発明の実施の形態２にかかる換気装置の構成を簡略化して示す模式図
【図１３】本発明の実施の形態３にかかる換気装置の構成を簡略化して示す模式図
【図１４】本発明の実施の形態３にかかる換気装置の構成を簡略化して示す模式図
【発明を実施するための形態】
【００１４】
以下に、本発明の実施の形態にかかる換気装置および換気制御方法を図面に基づいて詳細に説明する。なお、この実施の形態によりこの発明が限定されるものではない。
【００１５】
実施の形態１．
図１は、本発明の実施の形態１にかかる換気装置１００の構成を簡略化して示す模式図である。なお、符号ＯＡは外気（Ｏｕｔｄｏｏｒ  Ａｉｒ）、符号ＳＡは給気（Ｓｕｐｐｌｙ  Ａｉｒ）、符号ＲＡは還気（Ｒｅｔｕｒｎ  Ａｉｒ）、符号ＥＡは排気（Ｅｘｈａｕｓｔ  Ａｉｒ）を示している。図２は、本発明の実施の形態１にかかる換気装置１００の運転に関わる機能構成を示す図である。
【００１６】
図１に示す換気装置１００は、本体１と制御装置１３とリモートコントローラー１７とを備える。本体１は、板金によって構成された直方体状を有する筐体１ａの内部に熱交換素子６を有する空気調和用の換気装置である熱交換型換気装置である。本体１は、天井裏２６に隠蔽された状態で設置されている。リモートコントローラー１７は、室内２７に設置されている。図１においては、天井２５の上の領域が天井裏２６であり、天井２５の下の領域が室内２７である。
【００１７】
本体１は、前述の熱交換素子６の他に、筐体１ａの長手方向の一端面に縦方向に並べて設けられた排気吐出口１０および外気吸込口７と、筐体１ａの長手方向において一端面と対向する他端面に縦方向に並べて設けられた給気吐出口８および室内空気吸込口９と、を備える。本体１は、熱交換素子６を介して外気吸込口７と給気吐出口８とを結ぶ給気風路１１と、熱交換素子６を介して室内空気吸込口９と排気吐出口１０とを結ぶ排気風路１２と、を備える。
【００１８】
本体１は、給気風路１１の入口端から出口端へ向かう給気流の流れ、すなわち外気吸込口７から給気吐出口８へ向かう給気流の流れを生成する給気用送風機３を給気風路１１に備える。また、本体１は、排気風路１２の入口端から出口端へ向かう排気流の流れ、すなわち室内空気吸込口９から排気吐出口１０へ向かう排気流の流れを生成する排気用送風機５を排気風路１２に備える。給気用送風機３と排気用送風機５とにより、室内空気を換気する送風部２３が構成されている。
【００１９】
また、本体１は、室内空気の二酸化炭素（ＣＯ２）濃度を検出する第１ＣＯ２センサーである室内側ＣＯ２センサー１４ａおよび外気のＣＯ２濃度を検出する第２ＣＯ２センサーである室外側ＣＯ２センサー１４ｂを備える。室内側ＣＯ２センサー１４ａと室外側ＣＯ２センサー１４ｂにより、室内空気のＣＯ２濃度および外気のＣＯ２濃度を検出するＣＯ２検出部１４が構成されている。
【００２０】
給気風路１１は、外気ＯＡを室内へ給気するための風路であり、外気吸込口７と熱交換素子６との間に形成された外気熱交換前風路１１ａと、熱交換素子６と給気吐出口８との間に形成された外気熱交換後風路１１ｂと、熱交換素子６内の給気風路１１である素子内給気風路１１ｃと、を有している。排気風路１２は、室内空気である還気ＲＡを室外へ排気するための風路であり、室内空気吸込口９と熱交換素子６との間に形成された室内空気熱交換前風路１２ａと、熱交換素子６と排気吐出口１０との間に形成された室内空気熱交換後風路１２ｂと、熱交換素子６内の排気風路１２である素子内排気風路１２ｃと、を有している。この構成により、給気風路１１と排気風路１２とは、熱交換素子６において交差している。
【００２１】
外気熱交換後風路１１ｂと室内空気熱交換後風路１２ｂとは、熱交換素子６および仕切壁２１により仕切られている。外気熱交換前風路１１ａと室内空気熱交換前風路１２ａとは、熱交換素子６および仕切壁２２により仕切られている。外気熱交換前風路１１ａと室内空気熱交換後風路１２ｂとは、熱交換素子６および仕切壁１９により仕切られている。そして、外気熱交換後風路１１ｂと室内空気熱交換前風路１２ａとは、熱交換素子６および仕切壁１８により仕切られている。
【００２２】
仕切壁１８には、外気熱交換後風路１１ｂ内の給気用送風機３よりも上流側の領域、すなわち、外気熱交換後風路１１ｂにおける熱交換素子６と給気用送風機３との間の領域と、室内空気熱交換前風路１２ａと、を連通する開口を開閉する開閉部である風路切換ダンパー２０が配置されている。
【００２３】
給気用送風機３は、外気熱交換後風路１１ｂ内で給気吐出口８と連結され、給気用送風機３を駆動するための給気用モータ２を内部に備えている。排気用送風機５は、室内空気熱交換後風路１２ｂ内で排気吐出口１０と連結され、排気用送風機５を駆動するための排気用モータ４を内部に備えている。給気用モータ２と排気用モータ４とは、後述する第１制御部３１による制御に対応して回転速度が変化する。
【００２４】
給気風路１１には、外気ＯＡに含まれる塵埃の目詰まりによる熱交換素子６の性能低下を防止するために、熱交換素子６に吸い込まれる外気ＯＡの塵埃を取り除くエアフィルターである給気エアフィルター１５が、取り外し自在に外気熱交換前風路１１ａに設置されている。すなわち、給気エアフィルター１５は、給気風路１１における熱交換素子６よりも上流側に設置されている。また、排気風路１２には、還気ＲＡに含まれる塵埃の目詰まりによる熱交換素子６の性能低下を防止するために、熱交換素子６に吸い込まれる還気ＲＡの塵埃を取り除くエアフィルターである排気エアフィルター１６が、取り外し自在に室内空気熱交換前風路１２ａに設置されている。すなわち、排気エアフィルター１６は、排気風路１２における熱交換素子６よりも上流側に設置されている。
【００２５】
全熱交換器である熱交換素子６では、平板紙上に波板紙が接着されたコルゲートシートによる多層構造をなす平板状の給気風路である素子内給気風路１１ｃと、平板紙上に波板紙が接着されたコルゲートシートによる多層構造をなす平板状の排気風路である素子内排気風路１２ｃと、が互いに独立して形成されている。素子内給気風路１１ｃと素子内排気風路１２ｃとは、熱交換素子６において交差した状態に設けられている。これにより、熱交換素子６は、給気風路１１の素子内給気風路１１ｃを流れる空気と、排気風路１２の素子内排気風路１２ｃを流れる空気との間で熱および湿度を交換する全熱交換が可能となっている。本実施の形態１においては、素子内給気風路１１ｃと素子内排気風路１２ｃとは、熱交換素子６において直交して設けられている。すなわち、熱交換素子６では、素子内給気風路１１ｃを流れる空気の進行方向と、素子内排気風路１２ｃを流れる空気の進行方向とは、直交している。
【００２６】
室内側ＣＯ２センサー１４ａは、室内空気熱交換前風路１２ａに設置され、室内空気熱交換前風路１２ａを流れる室内空気である還気ＲＡのＣＯ２濃度を検出することで室内のＣＯ２濃度を検出する。室内側ＣＯ２センサー１４ａは、通信線５１を介して制御装置１３と通信可能とされており、検出した室内空気のＣＯ２濃度の情報を後述する制御装置１３のＣＯ２濃度取得部３１１に送信する。
【００２７】
室内側ＣＯ２センサー１４ａを筐体１ａの内部に設置し、制御装置１３を筐体１ａの近くに配置することで、室内側ＣＯ２センサー１４ａと制御装置１３とを接続する通信線５１の長さを短くすることができ、施工コストを低減できる。
【００２８】
室外側ＣＯ２センサー１４ｂは、外気熱交換前風路１１ａに設置され、外気熱交換前風路１１ａを流れる外気ＯＡのＣＯ２濃度を検出することで外気のＣＯ２濃度を検出する。室外側ＣＯ２センサー１４ｂは、通信線５１を介して制御装置１３と通信可能とされており、検出した外気のＣＯ２濃度の情報を制御装置１３のＣＯ２濃度取得部３１１に送信する。
【００２９】
室外側ＣＯ２センサー１４ｂを筐体１ａの内部に設置し、制御装置１３を筐体１ａの近くに配置することで、室外側ＣＯ２センサー１４ｂと制御装置１３とを接続する通信線５１の長さを短くすることができ、施工コストを低減できる。
【００３０】
図２に示すように、制御装置１３には、給気用送風機３と排気用送風機５とを制御して換気装置１００の換気運転を制御する制御部である第１制御部３１と、換気装置１００の換気運転の制御に関わる各種の情報を記憶する第１記憶部３２と、が配置されている。また、制御装置１３には、リモートコントローラー１７の第２通信部４１との間で双方向通信を行う第１通信部３３が配置されている。
【００３１】
第１制御部３１は、筐体１ａの外部においてメンテナンスを行い易い位置に配置され、送風部２３の給気用送風機３および排気用送風機５の運転を制御して換気運転を制御する。すなわち、第１制御部３１は、通信線５１を介して給気用送風機３および排気用送風機５と通信可能とされており、給気用送風機３および排気用送風機５の風量を制御して換気風量を制御する。具体的には、第１制御部３１は、室内側ＣＯ２センサー１４ａから送信された室内空気のＣＯ２濃度の情報および室外側ＣＯ２センサー１４ｂから送信された外気のＣＯ２濃度の情報を受信する。そして、第１制御部３１は、受信した室内空気のＣＯ２濃度の情報および外気のＣＯ２濃度の情報が示すＣＯ２濃度値に基づいて換気風量を変更して換気装置１００の運転を制御する。すなわち、第１制御部３１は、室内空気および外気のＣＯ２濃度に基づいて、換気装置１００の運転を換気風量の異なる運転モードに切り換える制御を行う。
【００３２】
第１制御部３１は、給気用送風機３および排気用送風機５の運転および停止を制御するとともに、給気用送風機３および排気用送風機５の風量を制御して換気風量を制御するための機能部として、ＣＯ２濃度取得部３１１と、補正後閾値算出部３１２と、換気風量制御部３１３と、換気運転制御部３１４と、を備える。
【００３３】
ＣＯ２濃度取得部３１１は、室内空気のＣＯ２濃度および外気のＣＯ２濃度をＣＯ２検出部１４から取得する。すなわち、ＣＯ２濃度取得部３１１は、室内側ＣＯ２センサー１４ａで検出された室内空気のＣＯ２濃度の検出値を、室内側ＣＯ２センサー１４ａから受信する。また、ＣＯ２濃度取得部３１１は、室外側ＣＯ２センサー１４ｂで検出された外気のＣＯ２濃度の検出値を、室外側ＣＯ２センサー１４ｂから受信する。
【００３４】
補正後閾値算出部３１２は、換気風量を変更するための室内空気のＣＯ２濃度の予め定められた閾値を、室外側ＣＯ２センサー１４ｂで検出された外気のＣＯ２濃度である外気ＣＯ２濃度検出値に基づいて補正して補正後閾値を算出する。換気装置１００の換気運転において前提とする外気のＣＯ２濃度である、一般的な大気のＣＯ２濃度を「外気ＣＯ２濃度基準値」とする。外気ＣＯ２濃度基準値は、換気装置１００における風量自動制御モードにおける制御に用いられる、予め定められた外気のＣＯ２濃度の基準値である。風量自動制御モードは、室内空気のＣＯ２濃度および外気のＣＯ２濃度に基づいて自動で換気風量を切り換える制御を行う運転モードである。外気ＣＯ２濃度基準値は、予め補正後閾値算出部３１２に記憶されている。一方、換気運転時に室外側ＣＯ２センサー１４ｂで検出された外気のＣＯ２濃度を「外気ＣＯ２濃度検出値」とする。
【００３５】
換気風量制御部３１３は、ユーザーによってリモートコントローラー１７で選択された運転モードに基づいて、送風部２３の風量を自動で制御して換気風量を変更する。換気風量制御部３１３は、補正後閾値算出部３１２で算出された補正後閾値に基づいて送風部２３の風量を制御して換気風量を変更することが可能である。すなわち、換気風量制御部３１３は、室内空気のＣＯ２濃度と、補正後閾値と、の大小関係に基づいて送風部２３の風量を制御して換気風量を変更することが可能である。
【００３６】
換気運転制御部３１４は、ユーザーによってリモートコントローラー１７で選択された運転モードに基づいて、給気用送風機３および排気用送風機５の、運転または停止を制御して換気装置１００の換気運転を制御する。なお、換気風量制御部３１３と、換気運転制御部３１４とを１つの運転制御部として構成してもよい。
【００３７】
換気運転制御部３１４は、室内空気のＣＯ２濃度および外気のＣＯ２濃度に基づいて換気風量を切り換える制御を行う運転モードである風量自動制御モードがユーザーによってリモートコントローラー１７で選択された場合には、ＣＯ２濃度の検出値をＣＯ２濃度取得部３１１に送信させるように、ＣＯ２濃度取得部３１１を介して室内側ＣＯ２センサー１４ａおよび室外側ＣＯ２センサー１４ｂに対して制御を行う。この制御は、換気装置１００の運転モードが風量自動制御モードに設定されている間、行われる。なお、換気運転制御部３１４は、直接、室内側ＣＯ２センサー１４ａおよび室外側ＣＯ２センサー１４ｂに対して制御を行ってもよい。
【００３８】
換気装置１００は、１番風量の少ない弱風量で運転する弱風量運転と、弱風量よりも風量の多い中風量で運転する中風量運転と、中風量よりも風量の多い強風量で運転する強風量運転と、の３段階の風量で運転可能とされている。すなわち、換気風量制御部３１３は、弱風量運転と、中風量運転と、強風量運転との３段階の風量切換制御が可能とされている。
【００３９】
補正後閾値算出部３１２および換気風量制御部３１３には、換気風量制御部３１３が換気装置１００の換気風量を変更するか否かを判定するために予め定められた「切換閾値」である、「第１の切換閾値」と、「第２の切換閾値」とが予め記憶されている。第１の切換閾値は、換気装置１００の換気風量を弱風量と中風量との間で切り換えを行うか否かを判定するための切換閾値であり、換気風量を変更するための室内空気のＣＯ２濃度の予め定められた閾値である。第２の切換閾値は、換気装置１００の換気風量を中風量と強風量との間で切り換えを行うか否かを判定するための切換閾値であり、予め定められた室内空気のＣＯ２濃度の閾値である。すなわち、換気風量制御部３１３は、異なる複数の予め定められた閾値である異なる複数の予め定められた室内空気のＣＯ２濃度の閾値を用いることにより、換気装置１００の換気風量を少なくとも３段階に段階的に切り換え可能である。なお、第１の切換閾値および第２の切換閾値は、第１記憶部３２に記憶されてもよい。
【００４０】
第１の切換閾値および第２の切換閾値は、必要なときに、換気装置１００の設置環境に合わせてリモートコントローラー１７等を用いて外部から任意の値に変更可能である。第１の切換閾値および第２の切換閾値は、変更される場合には、上書きされる。
【００４１】
第１記憶部３２は、換気装置１００の運転に関わる各種の情報を記憶する。第１記憶部３２としては、換気装置１００への通電が断電された場合でも、記憶された情報が消去されないように、不揮発性の記憶装置が使用される。第１記憶部３２は、例えばメモリによって実現される。
【００４２】
第１通信部３３は、通信線５１を介してリモートコントローラー１７の第２通信部４１との間で通信を行って情報の送受信を行う。
【００４３】
第１制御部３１は、例えば、図３に示したハードウェア構成の処理回路として実現される。図３は、本発明の実施の形態１における処理回路のハードウェア構成の一例を示す図である。第１制御部３１が図３に示す処理回路により実現される場合、第１制御部３１は、プロセッサ１０１がメモリ１０２に記憶されたプログラムを実行することにより、実現される。また、複数のプロセッサおよび複数のメモリが連携して上記機能を実現してもよい。また、第１制御部３１の機能のうちの一部を電子回路として実装し、他の部分をプロセッサ１０１およびメモリ１０２を用いて実現するようにしてもよい。
【００４４】
また、第１通信部３３を、同様にプロセッサ１０１がメモリ１０２に記憶されたプログラムを実行することにより、実現されるように構成してもよい。また、複数のプロセッサおよび複数のメモリが連携して第１通信部３３の機能を実現してもよい。また、第１通信部３３の機能のうちの一部を電子回路として実装し、他の部分をプロセッサ１０１およびメモリ１０２を用いて実現するようにしてもよい。
【００４５】
また、第１通信部３３を実現するためのプロセッサおよびメモリは、第１制御部３１を実現するプロセッサおよびメモリと同一であってもよいし、別のプロセッサおよびメモリであってもよい。
【００４６】
リモートコントローラー１７は、換気装置１００の換気動作等の各種制御についての指令を受け付ける。リモートコントローラー１７は、ユーザーから受け付けた各種指令を、第１制御部３１に送信する。すなわち、リモートコントローラー１７は、換気装置１００における、運転のオンと運転のオフとの切り換え、換気風量の切り換え、換気モードの切り換え、運転タイマーの設定などが可能になっている。
【００４７】
リモートコントローラー１７は、主たる構成として、図２に示すように通信線５１を介して第１通信部３３との間で通信を行って情報の送受信を行う第２通信部４１と、設定操作を受け付ける操作部４２と、換気装置１００の運転に関連する各種情報を表示する表示部４３と、換気装置１００の運転に関連する各種情報を記憶する第２記憶部４４と、リモートコントローラー１７の動作を制御する第２制御部４５と、を有している。第２通信部４１と操作部４２と表示部４３と第２記憶部４４と第２制御部４５とは、互いに情報を送受信可能である。
【００４８】
操作部４２は、換気装置１００の運転を遠隔制御するためのインタフェースであり、ユーザーから換気装置１００の運転に関連する指示を受け付ける。操作部４２は、換気装置１００の運転開始、換気装置１００の運転停止、換気装置１００の運転モードの選択、運転強度の設定、タイマーの設定といった、換気装置１００における運転に係わる様々な機能をユーザーが任意に選択できるように構成されている。操作部４２は、受け付けた各種情報を第２制御部４５に送信する。操作部４２は、例えば、キーボード、スイッチ、レバー又はタッチパネル等の各種の公知の入力機器によって実現される。
【００４９】
表示部４３は、操作部４２が受け付けた各種情報を表示してユーザーに通知する。表示部４３は、例えば液晶ディスプレイ装置等の各種の公知の表示装置によって実現される。
【００５０】
第２記憶部４４としては、換気装置１００への通電が断電された場合でも、記憶された情報が消去されないように、不揮発性の記憶装置が使用される。第２記憶部４４は、例えばメモリによって実現される。
【００５１】
第２制御部４５は、操作部４２から受信した指示情報に基づいてリモートコントローラー１７の動作を制御する。第２制御部４５は、操作部４２から受信した情報を、第２通信部４１を介して制御装置１３に送信する。また、第２制御部４５は、各種情報を表示部４３に表示させる制御を行う。
【００５２】
第２制御部４５は、例えば、図３に示したハードウェア構成の処理回路として実現される。第２制御部４５が図３に示す処理回路により実現される場合、第２制御部４５は、プロセッサ１０１がメモリ１０２に記憶されたプログラムを実行することにより、実現される。また、複数のプロセッサおよび複数のメモリが連携して上記機能を実現してもよい。また、第２制御部４５の機能のうちの一部を電子回路として実装し、他の部分をプロセッサ１０１およびメモリ１０２を用いて実現するようにしてもよい。
【００５３】
また、第２通信部４１を、同様にプロセッサ１０１がメモリ１０２に記憶されたプログラムを実行することにより、実現されるように構成してもよい。また、複数のプロセッサおよび複数のメモリが連携して第２通信部４１の機能を実現してもよい。また、第２通信部４１の機能のうちの一部を電子回路として実装し、他の部分をプロセッサ１０１およびメモリ１０２を用いて実現するようにしてもよい。また、第２通信部４１を実現するためのプロセッサおよびメモリは、第２制御部４５を実現するプロセッサおよびメモリと同一であってもよいし、別のプロセッサおよびメモリであってもよい。
【００５４】
つぎに、換気装置１００における、風量自動制御モードでの換気風量制御の第１の制御例について説明する。図４は、本発明の実施の形態１にかかる換気装置１００における、風量自動制御モードを実施する前の室内空気のＣＯ２濃度の閾値と換気風量との関係を示す図である。図５は、本発明の実施の形態１にかかる換気装置１００における第１の制御例での補正後閾値と換気風量との関係を示す図である。図６は、本発明の実施の形態１にかかる換気装置１００における第１の制御例での風量自動制御の手順の一例を示すフローチャートである。
【００５５】
まず、換気装置１００の電源がオンにされた状態でリモートコントローラー１７の操作部４２によって風量自動制御モードが選択されると、風量自動制御モードの指令情報が第２制御部４５、第２通信部４１、通信線５１、制御装置１３の第１通信部３３を介して制御装置１３の第１制御部３１に送信される。
【００５６】
第１制御部３１の換気運転制御部３１４は、風量自動制御モードの指令情報を受信すると、ステップＳ１０において風量自動制御モードでの換気装置１００の運転を開始する。
【００５７】
風量自動制御モードにおいては、室内側ＣＯ２センサー１４ａは、換気運転制御部３１４の制御により、室内空気のＣＯ２濃度を検出するためのセンシング動作を開始する。このとき、室内側ＣＯ２センサー１４ａが室内空気のＣＯ２濃度の検出を短時間で安定して行えるように、換気装置１００は最大風量である強風量で換気運転を行うことが好ましい。なお、室内側ＣＯ２センサー１４ａによる室内空気のＣＯ２濃度の検出が可能であれば、換気装置１００の換気風量は強風量に限定されない。
【００５８】
また、風量自動制御モードにおいては、室外側ＣＯ２センサー１４ｂは、換気運転制御部３１４の制御により、外気のＣＯ２濃度を検出するためのセンシング動作を開始する。このとき、室外側ＣＯ２センサー１４ｂが外気のＣＯ２濃度の検出を短時間で安定して行えるように、換気装置１００は最大風量である強風量で換気運転を行うことが好ましい。なお、室外側ＣＯ２センサー１４ｂによる外気のＣＯ２濃度の検出が可能であれば、換気装置１００の換気風量は強風量に限定されない。
【００５９】
ステップＳ２０においてＣＯ２濃度取得部３１１は、室内側ＣＯ２センサー１４ａから室内空気のＣＯ２濃度の情報、すなわち室内空気のＣＯ２濃度値の情報を受信する。ＣＯ２濃度取得部３１１は、受信した室内空気のＣＯ２濃度値の情報を補正後閾値算出部３１２に送信する。
【００６０】
つぎに、ステップＳ３０においてＣＯ２濃度取得部３１１は、室外側ＣＯ２センサー１４ｂにおいて検出された外気のＣＯ２濃度の情報、すなわち外気ＣＯ２濃度検出値の情報を受信する。ＣＯ２濃度取得部３１１は、受信した外気ＣＯ２濃度検出値の情報を補正後閾値算出部３１２に送信する。
【００６１】
ここでは、補正後閾値算出部３１２および換気風量制御部３１３には、初期設定された第１の切換閾値として５５０ｐｐｍが、初期設定された第２の切換閾値として６５０ｐｐｍが、予め記憶されていたものとする。そして、換気装置１００の管理者が換気装置１００の設置環境を考慮して、初期設定されている第１の切換閾値を７００ｐｐｍに、初期設定されている第２の切換閾値を８００ｐｐｍに、リモートコントローラー１７を用いて設定変更したものとする。したがって、以下では、補正後閾値算出部３１２および換気風量制御部３１３に記憶されている第１の切換閾値が７００ｐｐｍであり、補正後閾値算出部３１２および換気風量制御部３１３に記憶されている第２の切換閾値が８００ｐｐｍである場合について説明する。
【００６２】
換気風量制御部３１３は、この状態で風量自動制御モードではない通常モードで換気運転を制御する場合には、上記のように変更された第１の切換閾値および第２の切換閾値と、室内空気のＣＯ２濃度との大小関係に基づいて、換気装置１００の換気風量を切り換えて換気装置１００の運転を制御する。すなわち、換気風量制御部３１３は、図４に示すように、室内空気のＣＯ２濃度が７００ｐｐｍ未満である場合には弱風量の換気風量で換気装置１００を運転し、室内空気のＣＯ２濃度が７００ｐｐｍ以上、８００ｐｐｍ未満である場合には中風量の換気風量で換気装置１００を運転し、室内空気のＣＯ２濃度が８００ｐｐｍ以上である場合には強風量の換気風量で換気装置１００を運転するように風量切換制御を行う。
【００６３】
前述したように換気装置１００は天井２５内に隠蔽されて設置されているため、換気装置１００の運転を停止した場合には換気装置１００の内部に風が流れなくなる。また、換気装置１００では、室内側ＣＯ２センサー１４ａが室内空気熱交換前風路１２ａに設置されている。したがって、換気装置１００の運転を停止し、換気装置１００の内部に風が流れない状況においては、室内側ＣＯ２センサー１４ａで室内空気のＣＯ２濃度を正確に検出することができない。以上に鑑みて、本実施の形態１では、換気運転制御部３１４は、室内側ＣＯ２センサー１４ａで検出される室内空気のＣＯ２濃度が７００ｐｐｍ未満の低濃度であっても、換気装置１００の運転を停止させることなく、最低風量である弱風量で換気装置１００を連続運転させる。これにより、換気装置１００は、室内側ＣＯ２センサー１４ａにおける室内空気のＣＯ２濃度のセンシング動作を、換気装置１００の運転モードが風量自動制御モードに設定されている間中、常に行うことが可能となる。
【００６４】
なお、他の実施例として、室内側ＣＯ２センサー１４ａで検出される室内空気のＣＯ２濃度が７００ｐｐｍ未満の低濃度である場合は、換気装置１００が連続運転ではなく間欠運転で定期的に運転して、室内側ＣＯ２センサー１４ａが間欠的に室内のＣＯ２濃度を検出してもよい。この場合も、間欠的に室内空気熱交換前風路１２ａに風が流れるため、間欠的に室内側ＣＯ２センサー１４ａで室内空気のＣＯ２濃度を正確に検出することができる。また、外気熱交換前風路１１ａに風が流れるため、間欠的に室外側ＣＯ２センサー１４ｂで外気のＣＯ２濃度を正確に検出することができる。
【００６５】
上記のような換気風量制御において、第１の切換閾値および第２の切換閾値は、外気ＣＯ２濃度が、例えば一般的な大気のＣＯ２濃度値である４００ｐｐｍである場合を前提として設定されている。また同様に、換気対象空間である換気が行われる部屋の換気風量の設計についても、通常、外気のＣＯ２濃度が一般的な大気のＣＯ２濃度値である４００ｐｐｍである場合を前提として設計されている。この前提とする外気のＣＯ２濃度である、一般的な大気のＣＯ２濃度である４００ｐｐｍが、前述の「外気ＣＯ２濃度基準値」である。
【００６６】
つぎに、補正後閾値算出部３１２が、室外側ＣＯ２センサー１４ｂで検出される実際の外気のＣＯ２濃度である外気ＣＯ２濃度検出値に基づいて、室内空気のＣＯ２濃度の閾値である第１の切換閾値および第２の切換閾値を自動的に補正する工程について説明する。
【００６７】
ステップＳ４０において補正後閾値算出部３１２は、外気ＣＯ２濃度検出値と外気ＣＯ２濃度基準値との差分αを算出する。差分αは、下記式（１）によって算出される。
【００６８】
差分α＝外気ＣＯ２濃度検出値−外気ＣＯ２濃度基準値・・・（１）
【００６９】
外気ＣＯ２濃度基準値が４００ｐｐｍであり、外気ＣＯ２濃度検出値が４５０ｐｐｍである場合には、以下の計算により差分αとして５０ｐｐｍが算出される。
【００７０】
差分α＝外気ＣＯ２濃度検出値−外気ＣＯ２濃度基準値＝４５０ｐｐｍ−４００ｐｐｍ＝５０ｐｐｍ
【００７１】
つぎに、ステップＳ５０において補正後閾値算出部３１２は、切換閾値である室内空気のＣＯ２濃度の閾値を差分αに基づいて補正した補正後閾値である補正後第１の切換閾値および補正後第２の切換閾値を算出する。ここでの補正後第１の切換閾値は、補正後閾値算出部３１２に記憶されている第１の切換閾値が差分αで補正された、補正後の第１の切換閾値である。また、ここでの補正後第２の切換閾値は、補正後閾値算出部３１２に記憶されている第２の切換閾値が差分αで補正された、補正後の第２の切換閾値である。すなわち、補正後閾値算出部３１２は、外気ＣＯ２濃度基準値と、外気ＣＯ２濃度検出値とを比較した結果に基づいて補正後閾値を算出する。補正後閾値算出部３１２は、算出した補正後第１の切換閾値および補正後の第２の切換閾値を換気風量制御部３１３に送信する。
【００７２】
補正後第１の切換閾値は、第１の切換閾値に差分αを加算する下記式（２）によって算出される。
【００７３】
補正後第１の切換閾値＝第１の切換閾値＋差分α・・・（２）
【００７４】
補正後第２の切換閾値は、第２の切換閾値に差分αを加算する下記式（３）によって算出される。
【００７５】
補正後第２の切換閾値＝第２の切換閾値＋差分α・・・（３）
【００７６】
第１の切換閾値が７００ｐｐｍである場合には、式（２）を用いた以下の計算により補正後第１の切換閾値として７５０ｐｐｍが算出される。
【００７７】
補正後第１の切換閾値＝７００ｐｐｍ＋５０ｐｐｍ＝７５０ｐｐｍ
【００７８】
第２の切換閾値が８００ｐｐｍである場合には、式（３）を用いた以下の計算により補正後第２の切換閾値として８５０ｐｐｍが算出される。
【００７９】
補正後第２の切換閾値＝８００ｐｐｍ＋５０ｐｐｍ＝８５０ｐｐｍ
【００８０】
つぎに、ステップＳ６０において換気風量制御部３１３は、補正後閾値算出部３１２で算出された補正後閾値に基づいて換気風量の変更制御、すなわち換気風量の切換制御を行う。すなわち、換気風量制御部３１３は、第１の切換閾値に基づいて弱風量と中風量との間での換気風量の切換制御を行うのではなく、補正後第１の切換閾値に基づいて弱風量と中風量との間での換気風量の切換制御を行う。また、換気風量制御部３１３は、第２切換閾値に基づいて中風量と強風量との間での換気風量の切換制御を行うのではなく、補正後第２の切換閾値に基づいて中風量と強風量との間での換気風量の切換制御を行う。
【００８１】
すなわち、換気風量制御部３１３は、上記のように補正された補正後第１の切換閾値および補正後第２の切換閾値と、室内側ＣＯ２センサー１４ａで検出された室内空気のＣＯ２濃度との大小関係に基づいて、換気装置１００の換気風量を切り換えて換気装置１００の運転を制御する。すなわち、換気風量制御部３１３は、室内空気のＣＯ２濃度が７５０ｐｐｍ未満である場合には弱風量で換気装置１００を運転し、室内空気のＣＯ２濃度が７５０ｐｐｍ以上、８５０ｐｐｍ未満である場合には中風量で換気装置１００を運転し、室内空気のＣＯ２濃度が８５０ｐｐｍ以上である場合には強風量で換気装置１００を運転するように風量切換制御を行う。
【００８２】
なお、補正後第１の切換閾値および補正後第２の切換閾値は、補正後閾値算出部３１２および換気風量制御部３１３に記憶されている第１の切換閾値および第２の切換閾値とは独立して補正後閾値算出部３１２および換気風量制御部３１３に記憶される。したがって、第１の切換閾値および第２の切換閾値が補正後閾値算出部３１２および換気風量制御部３１３に記憶されたまま、補正後第１の切換閾値および補正後第２の切換閾値が補正後閾値算出部３１２および換気風量制御部３１３に記憶される。補正後第１の切換閾値および補正後第２の切換閾値は、補正後第１の切換閾値および補正後第２の切換閾値が算出されるたびに、最新の値で上書きされて保存される。
【００８３】
以上のような風量自動制御モードでの風量自動制御によれば、補正後閾値算出部３１２は、外気のＣＯ２濃度が外気ＣＯ２濃度基準値から変化した場合に、変化の前後の外気のＣＯ２濃度の差分に基づいて補正後閾値を算出する。すなわち、補正後閾値算出部３１２は、外気のＣＯ２濃度の変動量を室内空気のＣＯ２濃度の閾値に反映させて補正後閾値を算出する。例えば、補正後閾値算出部３１２は、外気のＣＯ２濃度が一般的な外気のＣＯ２濃度である４００ｐｐｍから４５０ｐｐｍに変化した場合に、変化の前後の外気のＣＯ２濃度の差分である５０ｐｐｍに基づいて、補正後第１の切換閾値である７５０ｐｐｍおよび補正後第２の切換閾値である８５０ｐｐｍを算出する。そして、換気風量制御部３１３は、換気風量の切り換えの判定に用いる室内空気のＣＯ２濃度の閾値を自動的に補正後第１の切換閾値および補正後第２の切換閾値に変更して換気装置１００の換気運転を制御する。したがって、換気装置１００では、外気のＣＯ２濃度が外気ＣＯ２濃度基準値から変動した場合には、室内空気のＣＯ２濃度の閾値が外気ＣＯ２濃度基準値からの外気のＣＯ２濃度の変動量に基づいて自動的に変更される。
【００８４】
空気調和・衛生工学会規格（ＳＨＡＳＥ−Ｓ）におけるＳＨＡＳＥ−Ｓ  １０２の換気基準では、健康への影響を考慮して単独指標としてのＣＯ２濃度は３５００ｐｐｍ以下としている。したがって、一般的に室内空気のＣＯ２濃度が３５００ｐｐｍ以下であれば、室内空気のＣＯ２濃度値の絶対値を検出することよりも、人の活動による室内でのＣＯ２発生量を検出することで得られる人の活動量に対応した換気風量を確保することが重要である。人の活動による室内空気のＣＯ２発生量は、室内のＣＯ２濃度変化量とほぼ等しいといえる。
【００８５】
また、外気のＣＯ２の濃度は、例えば自動車が多く通る幹線道路の近くの場所では、一般的な４００ｐｐｍより大きい例えば５００ｐｐｍとなる場所がある。この場合、人が活動する前の室内空気のＣＯ２濃度も同じように５００ｐｐｍとなる。一般的に、換気装置は外気が一般的な外気のＣＯ２濃度である４００ｐｐｍの場合を前提として風量切り換えを行う室内空気のＣＯ２濃度が設定されている。このため、外気のＣＯ２濃度の前提を４００ｐｐｍとしている換気装置では、室内空気のＣＯ２濃度について、人の活動によるＣＯ２濃度の増加を１００ｐｐｍ分だけ少なく見積もって風量を大きくしてしまうこととなる。早めに換気風量を多くすること自体は空気を浄化する点では問題ないが、省エネルギーの観点からは活動量に対して不必要に多く換気することになり、室内の空気調和された空気が排出されることによる空気調和機の負荷増加と換気装置の負荷増加によるエネルギー消費が多くなる。
【００８６】
上述した換気装置１００は、補正後閾値に基づいて換気風量を切り換えるため、室内空気のＣＯ２濃度における外気のＣＯ２濃度の変動の影響を除外して換気風量を切り換えることができる。すなわち、換気装置１００は、外気のＣＯ２濃度の変動のみにより室内空気のＣＯ２濃度が上昇した場合には、換気風量を切り換えることがない。このため、換気装置１００は、外気のＣＯ２濃度が外気ＣＯ２濃度基準値から変化した場合でも、予め設計または設定された人の活動量に対応した室内空気のＣＯ２濃度の変動に対応して換気風量を切り換えることができ、予め設計または設定された人の活動量に対応した適切な換気風量を維持することができる。
【００８７】
これにより、換気装置１００は、外気のＣＯ２濃度の変化に起因した、早いタイミングでの不必要に多い風量での換気を行うことがない。これにより、換気装置１００は、不必要な換気運転による負荷の増加を抑制し、予め設計された適切なエネルギーマネージメントを維持することができ、換気装置１００の省エネルギーを実現できる。また、換気装置１００は、換気装置１００の換気対象空間を空気調和するエアコンディショナー等の他の空気調和機における、換気装置１００の不必要に多い風量での換気に起因した負荷の増加を抑制することができ、他の空気調和機の省エネルギーを実現できる。
【００８８】
そして、換気装置１００は、外気ＣＯ２濃度検出値が３５００ｐｐｍ以下の場合に補正後閾値に基づいて換気風量を切り換えることにより、人の活動による室内のＣＯ２発生量を検出することで得られる人の活動量に対応した換気風量を確保して、上記の効果を得ることができる。
【００８９】
つぎに、換気装置１００における室内空気のＣＯ２濃度に基づいた換気風量制御の第２の制御例について説明する。図７は、本発明の実施の形態１にかかる換気装置１００における第２の制御例での補正後閾値と換気風量との関係を示す図である。図８は、本発明の実施の形態１にかかる換気装置１００における第２の制御例での風量自動制御の手順の一例を示すフローチャートである。図８のフローチャートに示す風量自動制御の手順が図６のフローチャートに示す風量自動制御の手順と異なる点は、ステップＳ５０の代わりにステップＳ１１０において補正後閾値である補正後第１の切換閾値および補正後第２の切換閾値を算出することである。第２の制御例においては、ステップＳ１１０の処理以外の条件は、第１の制御例の場合と同じである。
【００９０】
ステップＳ１１０において補正後閾値算出部３１２は、室内空気のＣＯ２濃度の閾値を差分αと係数β（０＜β≦１）とに基づいて補正して補正後閾値である補正後第１の切換閾値および補正後第２の切換閾値を算出する。ここでの補正後第１の切換閾値は、補正後閾値算出部３１２に記憶されている第１の切換閾値が差分αと係数βとにより補正された、補正後の第１の切換閾値である。また、ここでの補正後第２の切換閾値は、補正後閾値算出部３１２に記憶されている第２の切換閾値が差分αと係数βとにより補正された、補正後の第２の切換閾値である。
【００９１】
係数β（０＜β≦１）は、室内空気のＣＯ２濃度の閾値を差分αで補正する際の補正度合いを調整するための、予め定められた調整係数である。係数βは、補正後閾値算出部３１２に予め記憶されている。係数βは、必要なときに、換気装置１００の設置環境に合わせてリモートコントローラー１７等を用いて外部から任意の値に設定および変更可能である。係数βは、変更される場合には、上書きされる。
【００９２】
第２の制御例での補正後第１の切換閾値は、差分αと係数βとの積である（差分α×係数β）の値を第１の切換閾値に加算する下記式（４）によって算出される。
【００９３】
補正後第１の切換閾値＝第１の切換閾値＋（差分α×係数β）・・・（４）
【００９４】
第２の制御例での補正後第２の切換閾値は、差分αと係数βとの積である（差分α×係数β）の値を第２の切換閾値に加算する下記式（５）によって算出される。
【００９５】
補正後第２の切換閾値＝第２の切換閾値＋（差分α×係数β）・・・（５）
【００９６】
第１の制御例の場合と同様に、外気ＣＯ２濃度基準値が４００ｐｐｍであり、外気ＣＯ２濃度検出値が４５０ｐｐｍである場合には、差分αは５０ｐｐｍである。そして、係数βが０．８に設定されたものとする。この場合、第１の切換閾値が７００ｐｐｍであるので、補正後第１の切換閾値は、式（４）を用いた以下の計算により７４０ｐｐｍとなる。
【００９７】
補正後第１の切換閾値＝７００ｐｐｍ＋５０ｐｐｍ×０．８＝７４０ｐｐｍ
【００９８】
また、第２の切換閾値が８００ｐｐｍであるので、補正後第２の切換閾値は、式（５）を用いた以下の計算により８４０ｐｐｍとなる。
【００９９】
補正後第２の切換閾値＝８００ｐｐｍ＋５０ｐｐｍ×０．８＝８４０ｐｐｍ
【０１００】
そして、ステップＳ６０において換気風量制御部３１３は、算出された補正後閾値に基づいて換気風量の切換制御を行う。すなわち、換気風量制御部３１３は、上記のように補正された補正後第１の切換閾値および補正後第２の切換閾値と、室内側ＣＯ２センサー１４ａで検出された室内空気のＣＯ２濃度との大小関係に基づいて、換気装置１００の換気風量を切り換えて換気装置１００の運転を制御する。したがって、換気風量制御部３１３は、自動的に風量切り換えを行うための室内空気のＣＯ２濃度の閾値を変更し、補正後第１の切換閾値＝７４０ｐｐｍ、補正後第２の切換閾値＝８４０ｐｐｍで換気風量を制御する。この場合、換気風量制御部３１３は、室内空気のＣＯ２濃度が７４０ｐｐｍ未満である場合には弱風量で換気装置１００を運転し、室内空気のＣＯ２濃度が７４０ｐｐｍ以上、８４０ｐｐｍ未満である場合には中風量で換気装置１００を運転し、室内空気のＣＯ２濃度が８４０ｐｐｍ以上である場合には強風量で換気装置１００を運転するように風量切換制御を行う。
【０１０１】
上述した第２の制御例では、第１の制御例の場合と同様の効果が得られる。また、第２の制御例では、上記のように差分αに係数βを乗じた値で室内空気のＣＯ２濃度の閾値を補正する。これにより、外気のＣＯ２濃度が外気ＣＯ２濃度基準値から変化した場合でも、単純に切換閾値に差分αを加算して切換閾値を補正した第１の制御例の場合に比べて、補正後閾値の値を下げることができる。この場合、係数βを小さくするほど補正後閾値の値が下がる。
【０１０２】
換気装置１００は、切換閾値に（差分α×係数β）の値を加算して補正した補正後第１の切換閾値および補正後第２の切換閾値を用いることで、室内空気のＣＯ２濃度における外気のＣＯ２濃度の変動の影響を抑制して換気風量を切り換えることができる。この場合、換気風量の切換タイミングは、第１の制御例の場合と比べて室内空気のＣＯ２濃度が低い時点となり、第１の制御例の場合と比べて早いタイミングとなる。このため、換気運転時における省エネルギー効果は第１の制御例の場合と比べて若干少なくなる。一方で、補正後第１の切換閾値および補正後第２の切換閾値が第１の制御例の場合と比べて低くなることにより、室内のＣＯ２濃度を第１の制御例の場合と比べて低いレベルまで換気することができ、室内の空気をより清浄化することができる。これにより、換気装置１００は、第１の制御例の場合と比べて、換気運転時における省エネルギーと、換気運転時における室内空気のＣＯ２濃度の上昇の抑制と、のバランスを取った換気を行うことができる。
【０１０３】
多人数が室内にいる場合は室内の空気が汚れ易い。この場合は、係数βを小さくして、室内空気のＣＯ２濃度の上昇が少ない段階で早めに換気風量を増加させるように換気風量を切り換えることが好ましい。少人数しか室内に居ない場合または人が居ない場合は、室内の空気が汚れにくいまたは汚れない。この場合は、係数βを大きくして、室内空気のＣＯ２濃度の増加度合いが当初の換気設計または設定に基づいた人の活動量に対応した室内空気のＣＯ２濃度の増加度合いに近くなった段階で換気風量を増加させるように換気風量を切り換えることが好ましい。このように第２の制御例では、係数βを室内の状況などに対応して適切な値に設定することにより、第１の制御例の場合と比べて、換気運転時における省エネルギーと、換気運転時における室内空気のＣＯ２濃度の上昇の抑制と、のバランスを取った換気を行うことができる。
【０１０４】
また、上記の第１の制御例では、第１の切換閾値および第２の切換閾値の両方に差分αを加算することにより、第１の切換閾値および第２の切換閾値の両方を同じ補正量で補正して、補正後閾値を算出した。また、上記の第２の制御例では、第１の切換閾値および第２の切換閾値の両方に（差分α×係数β）の値を加算することにより、第１の切換閾値および第２の切換閾値の両方を同じ補正量で補正して、補正後閾値を算出した。すなわち、第１の制御例および第２の制御例では、第１の切換閾値および第２の切換閾値の両方を同じ補正量だけ変化させることによって補正後閾値を算出した。一方、補正後閾値を算出する際の補正量は、第１の切換閾値と第２の切換閾値とにおいて異なってもよい。
【０１０５】
図９は、本発明の実施の形態１にかかる換気装置１００における第３の制御例での補正後閾値と換気風量との関係を示す図である。第３の制御例では、補正後閾値を算出する際の補正量が、第１の切換閾値と第２の切換閾値とにおいて異なる場合について説明する。例えば、第１の切換閾値は、差分αを加算して補正される。また、第２の切換閾値は、（差分α×係数β）の値が加算されて補正される。すなわち、補正後閾値算出部３１２は、異なる複数の室内空気のＣＯ２濃度の予め定められた閾値のうち一部の室内空気のＣＯ２濃度の予め定められた閾値については差分αを加算して補正後閾値を算出し、異なる複数の室内空気のＣＯ２濃度の予め定められた閾値のうち他の一部の室内空気のＣＯ２濃度の予め定められた閾値については係数βと差分αとの積を加算して補正後閾値を算出する。
【０１０６】
換気装置１００は、第１の切換閾値に差分αを加算して補正した補正後第１の切換閾値を用いることで、室内空気のＣＯ２濃度が補正後第１の切換閾値に達するまでは、第１の制御例の場合と同様に当初の換気設計または設定に基づいた人の活動量に対応した適切な換気風量を維持することができる。これにより、換気装置１００は、換気装置１００の換気対象空間を空気調和するエアコンディショナー等の他の空気調和機および換気装置１００の不必要な負荷増加を防止することができる。
【０１０７】
また、換気装置１００は、第２の切換閾値に（差分α×係数β）の値を加算して補正した補正後第２の切換閾値を用いることで、室内空気のＣＯ２濃度における外気のＣＯ２濃度の変動の影響を抑制して換気風量を切り換えることができる。この場合、強風量運転への切換タイミングは、第１の制御例の場合と比べて室内空気のＣＯ２濃度が低い時点となり、第１の制御例の場合と比べて早いタイミングとなる。このため、換気運転時における省エネルギー効果は第１の制御例の場合と比べて若干少なくなる。一方で、補正後第２の切換閾値が第１の制御例の場合と比べて低くなることにより、室内のＣＯ２濃度を第１の制御例の場合と比べて低いレベルまで換気することができ、室内の空気をより清浄化することができる。これにより、換気装置１００は、第１の制御例の場合と比べて、換気運転時における省エネルギーと、換気運転時における室内空気のＣＯ２濃度の上昇の抑制と、のバランスを取った換気を行うことができる。
【０１０８】
また、第１の切換閾値と第２の切換閾値とについて、補正において適用する係数βの値を変えてもよい。例えば第１の切換閾値の補正に適用する係数βである係数β１を、係数β１＝０．８とし、第２の切換閾値の補正に適用する係数βである係数β２を係数β２＝０．７としてもよい。第１の制御例の場合と同様に、外気ＣＯ２濃度基準値が４００ｐｐｍであり、外気ＣＯ２濃度検出値が４５０ｐｐｍである場合には、差分αは５０ｐｐｍである。
【０１０９】
この場合には、第１の切換閾値が７００ｐｐｍであるので、補正後第１の切換閾値は、式（４）を用いた以下の計算により７４０ｐｐｍとなる。
【０１１０】
補正後第１の切換閾値＝７００ｐｐｍ＋５０ｐｐｍ×０．８＝７４０ｐｐｍ
【０１１１】
第２の切換閾値が８００ｐｐｍであるので、補正後第２の切換閾値は、式（５）を用いた以下の計算により８３５ｐｐｍとなる。
【０１１２】
補正後第２の切換閾値＝８００ｐｐｍ＋５０ｐｐｍ×０．７＝８３５ｐｐｍ
【０１１３】
係数β、係数β１および係数β２は、補正後閾値算出部３１２に予め初期値が記憶されている。また、係数β、係数β１および係数β２は、換気装置１００の管理者が換気装置１００の設置環境での換気設計を行う上で必要なときにリモートコントローラー１７等を用いて補正後閾値算出部３１２の外部から任意の値に設定を変更可能である。係数β、係数β１および係数β２が初期値から変更される場合には、変更される値で初期値が上書きされてもよく、また初期値が記憶されたままの状態で、変更される値が補正後閾値算出部３１２に記憶されてもよい。なお、係数β、係数β１および係数β２は、第１記憶部３２に記憶されてもよい。
【０１１４】
図１０は、本発明の実施の形態１にかかる換気装置１００における第４の制御例での補正後閾値と換気風量との関係を示す図である。第４の制御例では、換気装置１００に設定されている複数の室内空気のＣＯ２濃度の閾値のうち一部の室内空気のＣＯ２濃度の閾値については補正を行って補正後閾値を算出し、複数の室内空気のＣＯ２濃度の閾値のうち残りの室内空気のＣＯ２濃度の閾値については補正を行わない場合について説明する。例えば、第１の切換閾値は、差分αを加算して補正される。一方、第２の切換閾値は、補正されない。すなわち、補正後閾値算出部３１２は、異なる複数の室内空気のＣＯ２濃度の予め定められた閾値のうち一部の室内空気のＣＯ２濃度の予め定められた閾値については差分αを加算して補正後閾値を算出し、異なる複数の室内空気のＣＯ２濃度の予め定められた閾値のうち他の一部の室内空気のＣＯ２濃度の予め定められた閾値については補正しない。
【０１１５】
第１の切換閾値に差分αを加算して第１の切換閾値を補正することで、換気装置１００は、室内空気のＣＯ２濃度が補正後第１の切換閾値に達するまでは、第１の制御例の場合と同様に当初の換気設計または設定に基づいた人の活動量に対応した適切な換気風量を維持することができる。一方、第２の切換閾値は補正されないため、当初の換気設計に対応した室内空気のＣＯ２濃度を維持することができる。また、第１の切換閾値が（差分α×係数β）の値で補正されてもよいことは言うまでもない。
【０１１６】
なお、上記においては、外気ＣＯ２濃度基準値が例えば一般的な外気のＣＯ２濃度である４００ｐｐｍであって予め補正後閾値算出部３１２に記憶されている固定値である場合について説明したが、外気ＣＯ２濃度基準値はこれに限定されない。例えば、外気ＣＯ２濃度基準値は、換気装置１００が設置された設置時に、換気装置１００の設置環境において室外側ＣＯ２センサー１４ｂによって実際に検出された外気のＣＯ２濃度とされてもよい。
【０１１７】
また、外気ＣＯ２濃度基準値は、換気装置１００の管理者が換気装置１００の設置環境での換気設計を行う上で必要なときにリモートコントローラー１７等を用いて補正後閾値算出部３１２の外部から任意の値に設定を変更できるようにされてもよい。
【０１１８】
また、上記においては、２つの切換閾値を用いて弱風量と中風量と強風量との３段階の風量に換気装置１００の風量が切換可能である場合について説明したが、風量段階数および切換閾値の数はこれに限定されない。
【０１１９】
また、上記においては、室内空気のＣＯ２濃度に基づいて換気風量が段階的に変更される場合について説明したが、換気風量の変更形態はこれに限定されない。図１１は、本発明の実施の形態１にかかる換気装置１００における換気風量の変更形態の他の例を示す特性図である。図１１では、室内空気のＣＯ２濃度と換気装置１００における換気風量との相関関係を示している。換気装置１００における換気風量の変更形態は、図１１の特性図に示されるように、室内空気のＣＯ２濃度に対して換気風量が無段階に変わる形態とされてもよい。
【０１２０】
この場合は、室内側ＣＯ２センサー１４ａで検出された室内空気のＣＯ２濃度自体が、室内空気のＣＯ２濃度の閾値に対応する。換気装置１００は、図１１における複数の特性線で示される室内空気のＣＯ２濃度と換気風量との相関関係に基づいて、室内空気のＣＯ２濃度に対して換気風量を無段階に変更する制御を行ってもよい。図１１における特性線Ｄは、初期設定状態における、室内空気のＣＯ２濃度と換気風量との相関関係を示す特性線である。
【０１２１】
図１１における特性線Ａは、特性線Ｄを差分αまたは（差分α×係数β）の値で平行移動して補正した、室内空気のＣＯ２濃度と換気風量との相関関係を示す特性線である。
【０１２２】
図１１における特性線Ｂは、室内空気のＣＯ２濃度が高いほど補正量を少なくして、特性線Ｄを差分αまたは（差分α×係数β）の値で補正した、室内空気のＣＯ２濃度と換気風量との相関関係を示す特性線である。すなわち、特性線Ｂは、特性線Ｄに比べて傾きが小さくなっている。
【０１２３】
図１１における特性線Ｃは、特性線Ｂよりも室内空気のＣＯ２濃度が高いほど補正量をより少なくして、特性線Ｄを差分αまたは（差分α×係数β）の値で補正した、室内空気のＣＯ２濃度と換気風量との相関関係を示す特性線である。すなわち、特性線Ｃは、特性線Ｂに比べて傾きが小さくなっている。そして、特性線Ｃは、特性線Ｄにおいて最も室内空気のＣＯ２濃度が高い場合の風量は変更しないように補正されている。
【０１２４】
上述したように、本実施の形態１にかかる換気装置１００は、補正後閾値に基づいて換気風量を切り換えるため、室内空気のＣＯ２濃度における外気のＣＯ２濃度の変動の影響を除外して換気風量を切り換えることができる。これにより、換気装置１００は、外気のＣＯ２濃度が外気ＣＯ２濃度基準値から変化した場合でも、予め設計または設定された人の活動量に対応する室内空気のＣＯ２濃度の変動に対応して換気風量を切り換えることができ、予め設計または設定された人の活動量に対応した適切な換気風量を維持することが可能である。
【０１２５】
したがって、本実施の形態１にかかる換気装置１００は、外気のＣＯ２濃度が変化した場合でも室内に対する適切な換気風量を維持した換気を行うことが可能である。
【０１２６】
実施の形態２．
図１２は、本発明の実施の形態２にかかる換気装置２００の構成を簡略化して示す模式図である。なお、図１２においては、実施の形態１で説明した図１と同様の部分には同じ符号を付している。
【０１２７】
本実施の形態２にかかる換気装置２００の構成が実施の形態１にかかる換気装置１００と構成と異なる点は、室内側ＣＯ２センサー１４ａが室内２７に設置され、室外側ＣＯ２センサー１４ｂが屋外である建物の外壁２８の外へ設置されていることである。換気装置２００のこれ以外の構成および機能は、換気装置１００と同様である。このような構成を有することにより、換気装置２００は、換気装置１００と異なり、換気装置２００の換気運転が停止していても室内空気のＣＯ２濃度および外気のＣＯ２濃度を正確に検出できる。
【０１２８】
また、換気装置２００は、室内空気のＣＯ２濃度および外気のＣＯ２濃度を換気装置２００以外の機器から取得してもよい。この場合、換気装置２００は、室内側ＣＯ２センサー１４ａおよび室外側ＣＯ２センサー１４ｂ、すなわちＣＯ２検出部１４を備えなくてよい。この場合も、換気装置２００は、換気装置２００の換気運転が停止していても室内空気のＣＯ２濃度および外気のＣＯ２濃度を正確に検出できる。換気装置２００以外の機器は、特に限定されない。
【０１２９】
上述したように、本実施の形態２にかかる換気装置２００は、実施の形態１にかかる換気装置１００と同様の効果を有する。
【０１３０】
また、換気装置２００は、換気装置２００の換気運転が停止していても室内空気のＣＯ２濃度および外気のＣＯ２濃度を正確に検出することが可能である。このため、換気装置２００は、換気装置１００において室内空気のＣＯ２濃度および外気のＣＯ２濃度を正確に検出するセンシング動作のための換気運転の連続運転または換気運転の間欠運転が不要である。これにより、換気装置２００は、換気運転の時間のさらなる削減が可能であり、換気装置２００の省エネルギー効果を増加させることができる。また、換気装置２００は、外気負荷の低減により、換気装置２００の換気対象空間を空気調和するエアコンディショナー等の他の空気調和機の省エネルギー効果を増加させることができる。
【０１３１】
実施の形態３．
図１３は、本発明の実施の形態３にかかる換気装置３００の構成を簡略化して示す模式図である。図１４は、本発明の実施の形態３にかかる換気装置３００の構成を簡略化して示す模式図である。図１３は、風路切換ダンパー２０が開放位置に配置されている状態を示している。図１４は、風路切換ダンパー２０が閉鎖位置に配置されている状態を示している。なお、図１３および図１４においては、実施の形態１で説明した図１と同様の部分には同じ符号を付している。
【０１３２】
本実施の形態３にかかる換気装置３００は、実施の形態１にかかる換気装置１００において外気熱交換前風路１１ａに設置されている室外側ＣＯ２センサー１４ｂを備えていない。つまり、換気装置３００では、ＣＯ２検出部１４は、１つのＣＯ２センサーである室内側ＣＯ２センサー１４ａによって構成される。換気装置３００では、室内側ＣＯ２センサー１４ａが室外側ＣＯ２センサー１４ｂの機能を兼ねる。
【０１３３】
仕切壁１８には、外気熱交換後風路１１ｂ内の給気用送風機３よりも上流側の領域、すなわち、外気熱交換後風路１１ｂにおける熱交換素子６と給気用送風機３との間の領域と、室内空気熱交換前風路１２ａと、を連通する開口１８ａが形成されている。
【０１３４】
そして、仕切壁１８には、開口１８ａを開閉する開閉部である風路切換ダンパー２０が配置されている。換気装置３００は、風路切換ダンパー２０を開閉することにより開口１８ａを開閉可能とされている。
【０１３５】
風路切換ダンパー２０は、例えば仕切壁１８に沿う軸線の回りに回動する板からなり、不図示のモータにより駆動されて一端側が室内空気熱交換前風路１２ａ内に変位する。風路切換ダンパー２０は、図１３に示すような開口１８ａを開放する開放位置と、図１４に示すような開口１８ａを閉鎖する閉鎖位置と、に変位可能とされている。風路切換ダンパー２０が開放位置に位置する場合には、図１３に示すように、室内空気熱交換後風路１２ｂおよび熱交換素子６を介して室内空気熱交換前風路１２ａに流れ込む外気が、開口１８ａを通過して外気熱交換後風路１１ｂに流れる。風路切換ダンパー２０が閉鎖位置に位置する場合には、図１４に示すように、仕切壁１８に沿って開口１８ａが閉じられ、実施の形態１と同様の給気風路１１および排気風路１２が形成される。風路切換ダンパー２０の開閉は、換気運転制御部３１４により制御される。すなわち、換気装置３００は、室内空気熱交換後風路１２ｂ、熱交換素子６および室内空気熱交換前風路１２ａを介して、外気を外気熱交換後風路１１ｂに流す機能を備える。
【０１３６】
換気装置３００では、外気ＣＯ２濃度を検出するセンシング運転を実施する場合には、風路切換ダンパー２０が開くことで、室内２７からの室内空気の流れである還気ＲＡの流れが遮断され、室内空気熱交換前風路１２ａにおける風路切換ダンパー２０の下流側には室内空気が流れない状態とされる。このとき、排気用送風機５が停止しており、給気用送風機３のみが運転する。
【０１３７】
これにより、排気風路１２には、排気用送風機５が運転している通常状態とは異なり、給気用送風機３の運転により外気が侵入して流れる。すなわち、図１３において破線の矢印で示したように、外気が、排気吐出口１０から室内空気熱交換後風路１２ｂに吸い込まれ、素子内排気風路１２ｃ、室内空気熱交換前風路１２ａ、開口１８ａ、外気熱交換後風路１１ｂ、給気用送風機３および給気吐出口８を経由して室内２７へ供給される。また、給気風路１１には、換気装置１００の場合と同様に外気が流れる。したがって、排気用送風機５が停止しているが、給気用送風機３が運転することにより、建物内部の室内２７に新鮮な空気が導入される。
【０１３８】
外気ＣＯ２濃度を検出するセンシング運転を実施する場合には、上記のように室内空気熱交換前風路１２ａにおける風路切換ダンパー２０よりも下流側の領域に外気が流れる。したがって、室内空気熱交換前風路１２ａにおける風路切換ダンパー２０よりも下流側の領域に配置されている室内側ＣＯ２センサー１４ａに外気が供給されることとなり、室内側ＣＯ２センサー１４ａで外気のＣＯ２濃度を検出することができる。
【０１３９】
一方、換気装置３００では、室内空気のＣＯ２濃度を検出するセンシング運転を実施する場合には、風路切換ダンパー２０を閉鎖位置に移動させる。これにより、換気装置１００と同様に給気風路１１に外気が流れ、排気風路１２に室内空気が流れる。つまり、排気風路１２に設置されている室内側ＣＯ２センサー１４ａに室内空気が供給されることとなるため、室内側ＣＯ２センサー１４ａで室内空気のＣＯ２濃度を検出することができる。
【０１４０】
換気装置３００では、上記のようにして外気ＣＯ２濃度を検出するセンシング動作運転と室内空気のＣＯ２濃度を検出するセンシング運転とを切り換えて実施することにより、外気ＣＯ２濃度検出値と室内空気のＣＯ２濃度とを取得することができる。これにより、換気装置３００は、換気装置１００の場合と同様にして、補正後閾値である補正後第１の切換閾値および補正後第２の切換閾値を算出することができる。換気装置３００のこれ以外の構成および機能は、換気装置１００と同様である。
【０１４１】
上述したように、本実施の形態３にかかる換気装置３００は、実施の形態１にかかる換気装置１００と同様の効果を有する。
【０１４２】
また、換気装置３００では、風路切換ダンパー２０を開閉させて外気ＣＯ２濃度を検出するセンシング動作運転と室内空気のＣＯ２濃度を検出するセンシング運転とを切り換えて実施することにより、１つのＣＯ２センサー、すなわち室内空気熱交換前風路１２ａに設置された室内側ＣＯ２センサー１４ａにより、外気ＣＯ２濃度検出値と室内空気のＣＯ２濃度とを検出することができる。これにより、換気装置３００では、外気のＣＯ２濃度を検出するための室外側ＣＯ２センサーを削減することができ、コストの低減が可能である。
【０１４３】
なお、室内側ＣＯ２センサー１４ａは、外気のＣＯ２濃度を例えば４００ｐｐｍと想定し、室内空気の最低ＣＯ２濃度を４００ｐｐｍとして簡易校正する方法があるが、本実施の形態３によれば、外気のＣＯ２濃度を確実に検出することができるため、室内側ＣＯ２センサー１４ａの簡易校正精度を向上させることができる。実施の形態１および２でも同様に室外側ＣＯ２センサー１４ｂで外気のＣＯ２濃度を直接検出しているため、実施の形態３と同様に簡易校正の精度を向上させることができるが、実施の形態３では室内側ＣＯ２センサー１４ａの１個のセンサーで対応が可能であるためコスト面でのメリットがある。
【０１４４】
なお、前述の実施の形態３のように１つのＣＯ２センサー、すなわち室内空気熱交換前風路１２ａに設置された室内側ＣＯ２センサー１４ａを用いた場合における他の制御方法として、当該室内側ＣＯ２センサー１４ａを用いて室内空気のＣＯ２濃度を検出し、外気ＣＯ２濃度検出値は、人の作業により定期的にＣＯ２センサーにて測定を実施し、換気装置３００のリモートコントローラー１７を通じて制御装置１３へ直接インプットする方法もある。これにより、実施の形態３と同様に、換気装置３００では、外気のＣＯ２濃度を検出するための室外側ＣＯ２センサーを削減することができ、コストの低減が可能である。また、実施の形態３とは異なり室内空気熱交換前風路１２ａに設置された室内側ＣＯ２センサー１４ａで外気のＣＯ２濃度を検出するセンシング運転を実施するための風路切換ダンパー２０を設ける必要が無いため、装置の構造をより簡易にすることができるというメリットがある。
【０１４５】
なお、上述した実施の形態では、換気装置１００が熱交換型換気装置である場合について説明したが、換気装置１００は、熱交換素子６を備えていない換気装置であってもよい。すなわち、換気装置１００は、換気機能を有していればよく、熱交換型換気装置に限定されない。
【０１４６】
また、上述した実施の形態では、換気装置１００の送風部２３が、給気用送風機３および排気用送風機５によって構成されていたが、送風部２３の構成はかかる例に限定されない。例えば、送風部２３は、給気用送風機３のみによって構成されてもよいし、排気用送風機５のみによって構成されてもよい。つまり、換気装置１００は、給気用送風機３および給気風路１１、ならびに排気用送風機５および排気風路１２を備え、給排気を行ってもよいし、給気用送風機３および給気風路１１のみを備え、給気のみを行ってもよいし、排気用送風機５および排気風路１２のみを備え、排気のみを行ってもよい。
【０１４７】
以上の実施の形態に示した構成は、本発明の内容の一例を示すものであり、実施の形態の技術同士を組み合わせることも可能であるし、別の公知の技術と組み合わせることも可能であるし、本発明の要旨を逸脱しない範囲で、構成の一部を省略、変更することも可能である。
【符号の説明】
【０１４８】
１  本体、１ａ  筐体、２  給気用モータ、３  給気用送風機、４  排気用モータ、５  排気用送風機、６  熱交換素子、７  外気吸込口、８  給気吐出口、９  室内空気吸込口、１０  排気吐出口、１１  給気風路、１１ａ  外気熱交換前風路、１１ｂ  外気熱交換後風路、１１ｃ  素子内給気風路、１２  排気風路、１２ａ  室内空気熱交換前風路、１２ｂ  室内空気熱交換後風路、１２ｃ  素子内排気風路、１３  制御装置、１４  ＣＯ２検出部、１４ａ  室内側ＣＯ２センサー、１４ｂ  室外側ＣＯ２センサー、１５  給気エアフィルター、１６  排気エアフィルター、１７  リモートコントローラー、１８，１９，２１，２２  仕切壁、１８ａ  開口、２０  風路切換ダンパー、２３  送風部、２５  天井、２６  天井裏、２７  室内、２８  外壁、３１  第１制御部、３２  第１記憶部、３３  第１通信部、４１  第２通信部、４２  操作部、４３  表示部、４４  第２記憶部、４５  第２制御部、５１  通信線、１００，２００，３００  換気装置、１０１  プロセッサ、１０２  メモリ、３１１  ＣＯ２濃度取得部、３１２  補正後閾値算出部、３１３  換気風量制御部、３１４  換気運転制御部、α  差分、β，β１，β２  係数。
【図１】
0006987264.tif 000002
【図２】
0006987264.tif 000003
【図３】
0006987264.tif 000004
【図４】
0006987264.tif 000005
【図５】
0006987264.tif 000006
【図６】
0006987264.tif 000007
【図７】
0006987264.tif 000008
【図８】
0006987264.tif 000009
【図９】
0006987264.tif 000010
【図１０】
0006987264.tif 000011
【図１１】
0006987264.tif 000012
【図１２】
0006987264.tif 000013
【図１３】
0006987264.tif 000014
【図１４】
0006987264.tif 000015